(57)【特許請求の範囲】
【請求項１】
廃棄物処分場から排出される浸出液を水処理施設で処理し、前記水処理施設から排出される浸出液処理水を蒸発施設で蒸発させる最終処分方法において、
前記蒸発施設は、前記浸出液処理水を収容する蒸発槽と、前記蒸発槽内に設置された多孔性の蒸発促進部材とを備え、
前記蒸発槽内に導入された前記浸出液処理水を前記蒸発促進部材に沿って毛細管現象で上昇させて蒸発させる最終処分方法であって、
前記蒸発促進材は、前記毛細管現象を惹起する多孔が径方向に延設された円板状に形成されており、この円板状蒸発促進部材は、前記蒸発槽内に複数枚が対向するように隣接した状態で回転自在に支持され、
各円板状蒸発促進部材は、上部側が前記蒸発槽内に導入されている前記浸出液処理水の表面から上方に突出するように、下部側の一部が前記浸出液処理水中に浸漬され、かつ、この状態を維持しつつ所定速度で回転させられるものであって、この際の回転速度は、前記毛細管現象で上昇する前記浸出液処理水の蒸発時間を考慮して設定することを特徴とする浸出液処理水の最終処分方法。
【請求項２】
前記蒸発槽は、開閉可能な屋根部と、換気手段とを備えたことを特徴とする請求項１記載の浸出液処理水の最終処分方法。
【発明の詳細な説明】
【０００１】
【発明の属する技術分野】
この発明は、浸出液処理水の最終処分方法に関し、特に、浸出液処理水を太陽熱を中心とした曝気効果で効率的に蒸発させる最終処分方法に関するものである。
【０００２】
【従来の技術】
事業活動によって排出される産業廃棄物や、一般家庭から排出される生活廃棄物の最終処分として、埋立処分が行われている。このような廃棄物の埋立処分は、山間の谷間などの内陸部や海岸部などに、廃棄物の最終処分場を造成して行われている。
【０００３】
このような廃棄物の埋立処分に用いられる最終処分場は、通常、底部とその四周に連なる側壁部とに遮水工が施され、上部側が開口した凹形容器状の廃棄物収容部が形成され、この収容部の上方側から順次廃棄物が埋立てられる。
【０００４】
そして、所定量の廃棄物が収容部に埋立てられると、その上部に最終覆土を設けて、廃棄物の処分を完了し、廃棄物から発生する浸出液は、処分場に隣接設置される水処理施設で所定の廃水処理を行い、水処理施設で処理された後の浸出液処理水は、そのまま公共水域などに放流したり、あるいは、焼却施設で火力によって蒸発させていた。
【０００５】
しかしながら、このような従来の浸出液処理水の最終処分方法には、以下に説明する問題があった。
【０００６】
【発明が解決しようとする課題】
すなわち、浸出液処理水をそのまま公共水域に放流する最終処分方法では、周辺住民の不安などから、最終処分を行う廃棄物処分場自体の建設反対につながることが多い。
【０００７】
また、浸出液処理水を焼却施設により蒸発させる最終処分方法では、建設反対に繋がる不安要因はないが、焼却施設の建設が必要になり、蒸発のための火力エネルギーも必要とするので、コスト高になるという問題があった。
【０００８】
本発明は、このような従来の問題点に鑑みてなされたものであって、その目的とするところは、公共水域に放流することを回避しつつ、低コストで蒸発処理が可能になる浸出液処理水の最終処分方法を提供することにある。
【０００９】
【課題を解決するための手段】
上記目的を達成するために、本発明は、廃棄物処分場から排出される浸出液を水処理施設で処理し、前記水処理施設から排出される浸出液処理水を蒸発施設で蒸発させる最終処分方法において、前記蒸発施設は、前記浸出液処理水を収容する蒸発槽と、前記蒸発槽内に設置された多孔性の蒸発促進部材とを備え、前記蒸発槽内に導入された前記浸出液処理水を前記蒸発促進部材に沿って毛細管現象で上昇させて蒸発させる最終処分方法であって、前記蒸発促進材は、前記毛細管現象を惹起する多孔が径方向に延設された円板状に形成されており、この円板状蒸発促進部材は、前記蒸発槽内に複数枚が対向するように隣接した状態で回転自在に支持され、各円板状蒸発促進部材は、上部側が前記蒸発槽内に導入されている前記浸出液処理水の表面から上方に突出するように、下部側の一部が前記浸出液処理水中に浸漬され、かつ、この状態を維持しつつ所定速度で回転させられるものであって、この際の回転速度は、前記毛細管現象で上昇する前記浸出液処理水の蒸発時間を考慮して設定するようにした。
このように構成した浸出液処理水の最終処分方法によれば、浸出液処理水は、蒸発槽内で太陽熱を中心とした曝気効果により蒸発されるが、このときに、本発明では、蒸発施設が、蒸発槽内に設置された多孔性の蒸発促進部材を備え、蒸発槽内に導入された浸出液処理水を蒸発促進部材に沿って毛細管現象で上昇させて、蒸発槽の上方で蒸発させるので、単なる曝気効果による蒸発の場合よりも曝気面積が大きくなるので、蒸発をより効率的に行うことができる。
この場合、太陽熱を中心とした曝気効果による蒸発では、火力蒸発のように、蒸発のためのエネルギーを加える必要はない。
前記蒸発槽には、開閉可能な屋根部と、換気手段とを設けることができる。
【００１０】
【発明の実施の形態】
以下、本発明の好適な実施の形態について、添付図面に基づいて詳細に説明する。図１は、本発明にかかる浸出液処理水の最終処分方法の一実施例を示している。
【００１１】
同図に示した処分方法は、完全密閉式の廃棄物処分場１０に本発明を適用した場合を例示している。廃棄物処分場１０は、上端が開口した凹形容器状の廃棄物収容部１２を備えている。
【００１２】
この廃棄物収容部１２の内面には、アスファルト舗装などの遮水工が施され、両側の外周には、盛土１３が施され、内部の底面上には、浸出液Ｗ２を導出するための有孔管１４が設置されている。
【００１３】
また、廃棄物収容部１２の上方は、アーチ状の屋根１６で閉止されていて、屋根１６の上端には、換気装置１８が設置されている。廃棄物収容部１２内には、廃棄物Ｘが所定の厚みに埋立てられている。
【００１４】
本実施例の場合には、収容部１２内に堆積収容されている廃棄物Ｘ上に人工雨W１を降らせる人工降雨施設２０と、浸出液Ｗ２の水処理施設２２とが隣接設置されている。
【００１５】
人工降雨施設２０は、廃棄物収容部１２の側方に設けられた雨水集排水路２４を介して集水された雨水W０を貯水する貯水槽２６を有している。貯水槽２６の側方には、貯水槽２６内に貯水されている雨水Ｗ０を揚水する揚水ポンプ２８が設置されている。
【００１６】
この揚水ポンプ２８は、貯水槽２６内の雨水Ｗ０を揚水して、屋根１６の内部に設けられている散水ノズル３０に供給して、散水ノズル３０から人工雨Ｗ１を廃棄物Ｘ上に降らせる。
【００１７】
なお、図１に示した符号３２の部材は、貯水槽２６の上端側に設けられた交換可能なフィルタであって、貯水槽２６内に集められた雨水Ｗ０は、過剰になると、フィルタ３２を介して公共水域などに放流される。
【００１８】
また、貯水槽２６内には、砕石３４が沈設されている。一方、水処理施設２２には、廃棄物収容部１２内に設置された有孔管１４の一端が連通接続されていて、廃棄物Ｘから発生する浸出液Ｗ２が導入される。
【００１９】
水処理施設２２では、導入された浸出液Ｗ２に凝縮沈殿などの必要な処理を施して、有害物質を除去するなどの処理を行い、浸出液処理水Ｗ３を排出する。水処理施設２２から排出された浸出液処理水Ｗ３は、本実施例の場合には、蒸発施設３６に導入され、ここで最終処分が行われる。
【００２０】
蒸発施設３６は、浸出液処理水Ｗ３を収容する上端が開口した有底容器状の蒸発槽３８と、この蒸発槽３８内に設置された多数の蒸発促進部材４０とを備えている。
【００２１】
蒸発槽３８の上端側には、開閉可能な屋根４２が設けられていて、雨天などの場合には、屋根４２により蒸発槽３８の上端を閉止する。また、蒸発槽３８の上端側には、屋根４２で閉塞した際に、蒸発槽３８の内外を換気するための換気扇などからなる換気手段４４が設けられている。
【００２２】
蒸発促進部材４０は、多孔性のポーラスストーンやセラミックスなどから構成され、毛細管現象で液体を上昇させる性質を備えている。
【００２３】
棒状蒸発促進部材４０は、蒸発槽３８内に浸出液処理水Ｗ３が導入されると、上部側が蒸発槽３８内に導入された浸出液処理水Ｗ３の表面から上方に突出し、下部側の一部が浸出液処理水Ｗ３中に浸漬される。
【００２４】
このような状態に棒状蒸発促進部材４０を設置すると、浸出液処理水Ｗ３は、棒状蒸発促進部材４０の長手軸方向に沿って、毛細管現で浸出液処理水Ｗ３の水面上まで上昇し、上昇した位置で曝気されて蒸発する。
【００２５】
浸出液処理水Ｗ３の蒸発は、毛細管現象により下方から順次新たな浸出液処理水Ｗ３が供給されて、蒸発槽３８内の浸出液処理水Ｗ３がなくなるまで継続される。
【００２６】
このような浸出液処理水Ｗ３の蒸発処分は、晴天の場合には、屋根４２を移動させて、蒸発槽３８を開放した状態で行い、雨天の場合には、屋根４２でこれを閉塞し、換気手段４４を作動させて行われる。
【００２７】
本実施例の廃棄物処分場１０では、人工降雨施設２０により、雨水Ｗ０を利用して人工雨Ｗ１が、廃棄物Ｘ上に降り注がれ、空気と水を廃棄物Ｘに供給することで、好気雰囲気での分解を促進し、廃棄物Ｘの早期安定化を図る。
【００２８】
この際に、廃棄物Ｘから発生する浸出液Ｗ２は、水処理施設２２で所定の水処理がなされ、水処理施設２２から排出される浸出液処理水Ｗ３は、蒸発施設３６で、蒸発させる最終処分が行われる。
【００２９】
さて、以上のような浸出液処理水Ｗ３の最終処分方法では、浸出液処理水Ｗ３は、蒸発槽３８内で太陽熱を中心とした曝気効果により蒸発されるが、このときに、本実施例では、蒸発施設３６が、蒸発槽３８内に設置された多孔性の蒸発促進部材４０を備え、蒸発槽３８内に導入された浸出液処理水Ｗ３を蒸発促進部材４０に沿って毛細管現象で上昇させて、蒸発槽３８の上方で蒸発させるので、浸出液処理水Ｗ３を公共水域に放流する必要がなくなる。
【００３０】
この場合、本実施例では、単なる曝気効果による蒸発の場合よりも曝気面積が大きくなって、蒸発をより効率的に行うことができる。
【００３１】
また、このような太陽熱を中心とした曝気効果による蒸発では、火力蒸発のように、蒸発のためのエネルギーを加える必要はないので、省エネルギー化を図ることができる。
【００３２】
図２は、蒸発促進部材４０の詳細図である。同図に示した蒸発促進部材４０は、多孔性のポーラスストーンやセラミックスなどから構成され、毛細管現象で液体を上昇させる性質を備えている。
【００３３】
蒸発促進部材４０は、円板状に形成され、立設した状態で複数枚が相互に対向するように所定の間隔を隔てて配列され、各蒸発促進部材４０は、それぞれの中心を回転軸４６が貫通するようにして支持されている。
【００３４】
円板状の蒸発促進部材４０の毛細管現象を惹起する多孔は、円板の中心から半径方向に延設され、各蒸発促進部材４０ａは、蒸発槽３８に導入される浸出液処理水Ｗ３内に、下方の一部が浸漬され、上部側が浸出液処理水Ｗ３の液面から上方に突出するように、蒸発槽３８内に回転自在設置される。
【００３５】
このようにして回転自在支持された複数の円板状蒸発促進部材４０は、毛細管現象で上昇する浸出液処理水Ｗ３の蒸発時間を考慮して、かつ、浸出液処理水Ｗ３との位置関係を維持しながら、図２に示すように、所定の方向に、所定の回転速度で回転される。
【００３６】
このような、蒸発促進部材４０を採用すると、蒸発促進部材４０を円板状にするので、蒸発面積が大きくなるとともに、これを回転させることにより、蒸発をより一層促進させることができる。
【００３７】
なお、上記実施例では、本発明を人工降雨を用いる閉塞式の廃棄物処分場１０に適用した場合を例示したが、本発明の実施は、これに限定されることはなく、他の形式の廃棄物処分場に適用することができる。
【００３８】
【発明の効果】
以上、詳細に説明したように、本発明にかかる浸出液処理水の最終処分方法によれば、公共水域に放流することを回避しつつ、低コストで蒸発処理が可能になる。
【図面の簡単な説明】
【図１】  本発明にかかる浸出液処理水の最終処分方法の一実施例を示す全体の処理工程に関する説明図である。
【図２】  図１に示した蒸発促進部材の詳細説明図である。
【符号の説明】
１０          廃棄物処分場
１２          廃棄物収容部
１６          屋根
２０          人工降雨施設
２２          水処理施設
３６          蒸発施設
３８          蒸発槽
４０          蒸発促進部材
【図１】
0003867195.tif 000002
【図２】
0003867195.tif 000003